(57)【要約】【課題】本発明は、ブルートゥース（登録商標）を利用して照明装置を遠隔操作する照明システムにおいて、周辺の干渉の影響を低減させた信頼性の高い照明システムを提供することを目的とする。【解決手段】本発明の実施形態に係る照明システムは、１つが光源を持つ第１照明装置であり、１つが前記第１照明装置を制御する第１データを生成する第１制御装置である、複数の端末装置を有する端末装置群を備え、前記端末装置群は、各端末装置をノードとし、隣接する端末装置同士が、ブルートゥースのコネクションによって接続されたネットワークを構成し、前記第１制御装置は、少なくとも前記第１制御装置をペリフェラルとするコネクションと前記第１照明装置をセントラル又はペリフェラルとする他のコネクションを介して、前記第１照明装置に対して前記第１データを送信することを特徴とする。【選択図】図１
2017212118.tif 000002
【特許請求の範囲】
【請求項１】
１つが光源を持つ第１照明装置であり、１つが前記第１照明装置を制御する第１データを生成する第１制御装置である、複数の端末装置を有する端末装置群を備え、
前記端末装置群は、各端末装置をノードとし、隣接する端末装置同士が、ブルートゥース（登録商標）のコネクションによって接続されたネットワークを構成し、
前記第１制御装置は、少なくとも前記第１制御装置をペリフェラルとするコネクションと前記第１照明装置をセントラル又はペリフェラルとする他のコネクションを介して、前記第１照明装置に対して前記第１データを送信する
ことを特徴とする照明システム。
【請求項２】
前記端末装置群は、各端末装置をノードとし、隣接する端末装置同士が、ブルートゥースのコネクションによって接続されたメッシュ型のネットワークを構成する
ことを特徴とする請求項１記載の照明システム。
【請求項３】
前記第１照明装置は、前記第１照明装置の光源に関する第２データを生成し、
前記第１照明装置は、少なくとも前記第１照明装置をセントラル又はペリフェラルとするコネクションと前記第１制御装置をペリフェラルとする他のコネクションを介して、前記第１制御装置に対して前記第２データを送信する
ことを特徴とする請求項１又は２記載の照明システム。
【請求項４】
前記端末装置の１つは、所定のコネクションから受信したデータを他のコネクションに転送する中継装置であり、
前記第１制御装置と前記第１照明装置は、前記中継装置を介してデータを送受信する
ことを特徴とする請求項１〜３のいずれか１項記載の照明システム。
【請求項５】
前記中継装置は、光源を持つ第２照明装置である
ことを特徴とする請求項４記載の照明システム。
【請求項６】
前記中継装置は、セントラルとペリフェラルとを切り替え可能に構成される
ことを特徴とする請求項４又は５記載の照明システム。
【請求項７】
前記端末装置の１つは、所定範囲の人の有無を感知し、その感知結果に基づいて第３データを生成する人感センサ装置である
ことを特徴とする請求項１〜６のいずれか１項記載の照明システム。
【請求項８】
前記第１制御装置は、前記人感センサ装置で生成された前記第３データに基づいて前記第１データを生成する
ことを特徴とする請求項７記載の照明システム。
【請求項９】
前記人感センサ装置は、光源を持つ第３照明装置であり、前記感知結果に基づいて前記第３照明装置の光源を制御する
ことを特徴とする請求項７又は８記載の照明システム。
【請求項１０】
前記端末装置の１つは、所定範囲の照度を検知し、その検知結果に基づいて第４データを生成する照度センサ装置である
ことを特徴とする請求項１〜９のいずれか１項記載の照明システム。
【請求項１１】
前記第１制御装置は、前記照度センサ装置で生成された前記第４データに基づいて前記第１データを生成する
ことを特徴とする請求項１０記載の照明システム。
【請求項１２】
前記照度センサ装置は、光源を持つ第４照明装置であり、前記検知結果に基づいて、前記第４照明装置の光源を制御する
ことを特徴とする請求項１０又は１１のいずれか１項記載の照明システム。
【請求項１３】
前記端末装置の１つは、前記第１照明装置を制御する第５データを生成する第２制御装置である
ことを特徴とする請求項１〜１２のいずれか１項記載の照明システム。
【請求項１４】
前記第１制御装置は、前記第１制御装置をペリフェラルとし、所定の端末装置をセントラルとするコネクションで接続され、
前記第２制御装置は、前記第２制御装置をペリフェラルとし、前記所定の端末装置をセントラルとするコネクションで接続される
ことを特徴とする請求項１３記載の照明システム。
【請求項１５】
前記複数の端末装置は、それぞれ第１識別値を持ち、
前記メッシュネットワークは、同一の前記第１識別値を持つ端末装置によって構成される
ことを特徴とする請求項１〜１４のいずれか１項記載の照明システム。
【請求項１６】
前記第１制御装置は、電源が供給されると前記第１照明装置を制御可能な状態に遷移するコントローラである
ことを特徴とする請求項１〜１５のいずれか１項記載の照明システム。
【発明の詳細な説明】
【技術分野】
【０００１】
本発明は、照明システムに関する。
【背景技術】
【０００２】
現在、多くの照明装置にはリモートコントローラが付属しており、無線による遠隔操作が可能である。但し、これらコントローラの多くは照明装置の個別操作を目的としている。したがって、これらコントローラを使って複数の照明装置を一括に操作しようとすると、その操作は極めて煩雑になる。
【０００３】
一方、近年では、スマートフォン等、通信可能な汎用機器の普及に着目し、これら汎用機器から操作可能な照明装置も販売されるようになった。これらは通常、汎用機器にインストールされるアプリケーションによって操作されるため、このアプリケーションを工夫することによって、複数の照明装置の操作は比較的容易になる。
【０００４】
しかしながら、これら汎用機器が採用するＷｉ−Ｆｉ（登録商標）やブルートゥース（登録商標）等の通信規格は、近距離通信を目的としており、壁などの障害物に弱いものが多い。したがって、大型店舗等に配置された複数の照明装置の操作に採用するには、信頼性の点で問題となる。
【先行技術文献】
【特許文献】
【０００５】
【特許文献１】特開２００２−２８９３６９号公報
【発明の概要】
【発明が解決しようとする課題】
【０００６】
本発明は、ブルートゥースを利用して照明装置を遠隔操作する照明システムにおいて、周辺の干渉の影響を低減させた信頼性の高い照明システムを提供することを目的とする。
【課題を解決するための手段】
【０００７】
本発明の実施形態に係る照明システムは、１つが光源を持つ第１照明装置であり、１つが前記第１照明装置を制御する第１データを生成する第１制御装置である、複数の端末装置を有する端末装置群を備え、前記端末装置群は、各端末装置をノードとし、隣接する端末装置同士が、ブルートゥースのコネクションによって接続されたネットワークを構成し、前記第１制御装置は、少なくとも前記第１制御装置をペリフェラルとするコネクションと前記第１照明装置をセントラル又はペリフェラルとする他のコネクションを介して、前記第１照明装置に対して前記第１データを送信することを特徴とする。
【発明の効果】
【０００８】
本発明によれば、ブルートゥースを利用して照明装置を遠隔操作する照明システムにおいて、周辺の干渉の影響を低減させた信頼性の高い照明システムを提供することができる。
【図面の簡単な説明】
【０００９】
【図１】第１の実施形態に係る照明システムの概要を示す図である。
【図２】同実施形態に係る照明システムの端末装置間のデータフローを示す図である。
【図３】同実施形態に係る照明システムの端末装置間のデータフローを示す図である。
【図４】同実施形態に係る照明システムのネットワークの形成過程を示す図である。
【図５】同実施形態に係る照明システムのネットワークの形成過程を示す図である。
【図６】同実施形態に係る照明システムのネットワークの形成過程を示す図である。
【図７】同実施形態に係る照明システムのネットワークの形成過程を示す図である。
【図８】同実施形態に係る照明システムのネットワークの形成過程を示す図である。
【図９】同実施形態に係る照明システムのネットワークの形成過程を示す図である。
【図１０】同実施形態に係る照明システムのネットワークの形成過程を示す図である。
【図１１】同実施形態に係る照明システムのネットワークの形成過程を示す図である。
【図１２】比較例に係る照明システムの概要を示す図である。
【図１３】ブルートゥースの中心周波数とチャネルとの関係を示すグラフである。
【図１４】第２の実施形態に係る照明システムの概要を示す図である。
【図１５】同実施形態に係る照明システムの概要を示す図である。
【図１６】同実施形態に係る照明システムの概要を示す図である。
【図１７】第３の実施形態に係る照明システムの概要を示す図である。
【図１８】第４の実施形態に係る照明システムのコントローラの一例である。
【図１９】第５の実施形態に係る照明システムの概要を示す図である。
【発明を実施するための形態】
【００１０】
以下、図面を参照しながら本発明の実施形態に係る照明システムについて説明する。
【００１１】
［第１の実施形態］
先ず、第１の実施形態に係る照明システム１００の概要について図１を参照しながら説明する。
照明システム１００は、図１に示すように、光源を持つ複数の照明装置１０１〜１１３と、これら照明装置１０１〜１１３を操作する制御装置であるタブレット１２１を備える。この照明システム１００は、１つのタブレット１２１から複数の照明装置１０１〜１１３を操作可能なシステムとなっている。なお、本実施形態では、１０１〜１０４で示すペンダントライト、１０５〜１０８で示すダウンライト、１０９〜１１２で示すシーリングライト、１１３で示すブラケットライトの他、様々な照明装置も使用することができる。また、本実施形態では、１２１で示すタブレットの他、専用のコントローラやスマートフォン等の制御装置も使用することができる。
【００１２】
照明装置１０１〜１１３及びタブレット１２１はそれぞれ、ブルートゥースに準拠した通信機能を持つ。照明装置１０１〜１１３及びタブレット１２１は、これらをノードとするメッシュ型のネットワークを構成する。以下において、ノードとなる照明装置、制御装置等を一般的に「端末装置」と称することもある。また、端末装置のうち制御装置を除く照明装置等を「被制御装置」と称することもある。隣接する端末装置同士は、一方をセントラル（マスター）とし、他方をペリフェラル（スレーブ）とするコネクションによって接続される。これによって、これら端末装置同士は、双方向無線通信が可能となる。図１では、屈曲した矢印がコネクションを示しており、“Ｃ”が記された矢印の始点側の端末装置がセントラル、“Ｐ”が記された矢印の終点側の端末装置がペリフェラルとなる。例えば、照明装置１０１及び１０２は、照明装置１０１をセントラルとし、照明装置１０２をペリフェラルとするコネクションＣ１２によって接続される。なお、本実施形態では、制御装置はペリフェラルとしてのみ動作し、被制御装置はセントラルとペリフェラルの両方として動作する。
【００１３】
また、端末装置１０１〜１１３及び１２１はそれぞれ、グループＩＤ（第１識別子）とデバイスＩＤを持つ。グループＩＤは、同一のネットワークに参加する全ての端末装置に共通に割り付けられた値である。ネットワーク形成の際にこのグループＩＤを使用することで、異なるグループＩＤを持つ端末装置をネットワークから排除することができる。これを使えば、例えば、あるユーザの店舗等に設置された端末装置と、第三者が所有する端末装置をネットワーク的に切り離すことができる。デバイスＩＤは、ネットワーク内において端末装置を特定するためのローカルなアドレスである。そのため、異なるネットワークに属する端末装置が同一のデバイスＩＤを持っても良い。後述するデータ通信では、送信先の特定のためにデータ中にデバイスＩＤを含ませるが、多くの場合、デバイスＩＤの方がＭＡＣアドレス等よりもビット長が短いため、データの通信量を低減させることができる。なお、図１では、各端末装置のグループＩＤ及びデバイスＩＤを「グループＩＤ−デバイスＩＤ」の書式で（）内に示す。例えば、照明装置１０１は、グループＩＤ＝Ａ、デバイスＩＤ＝１を持つ。図１の場合、破線ａ１１１で囲まれた端末装置１０１〜１１３及び１２１は、同一のグループＩＤ＝Ａを持ち、１つのネットワークを構成している。その一方、異なるグループＩＤ＝Ｂを持つ端末装置１５１及び１５２は、このネットワークから排除されている。
【００１４】
次に、照明システム１００の端末装置間のデータフローについて説明する。
第１の例として、タブレット１２１（第１制御装置）から照明装置１１３（第１照明装置）を制御する場合について図２を参照しながら説明する。
この場合、始めに、ユーザがタブレット１２１上のアプリケーションを操作して、照明装置１１３の光源の光色や明るさを指示する。すると、タブレット１２１は、照明装置１１３の光源を制御するための制御データＤｃ（第１データ）を生成する。制御データＤｃは、少なくとも制御対象となる照明装置１１３のデバイスＩＤ＝１３と制御内容を示す値を含む。続いて、タブレット１２１は、照明装置１１３に対して制御データＤｃを送信する。ここで、タブレット１２１と照明装置１１３が離れた場所に配置されており、直接的なデータ通信ができない場合、タブレット１２１は、ネットワーク内の複数のコネクションを利用して、照明装置１１３に制御データＤｃを送信することになる。図２の場合、白抜き矢印で示すように、タブレット１２１で生成された制御データＤｃは、タブレット１２１をペリフェラル、照明装置１０１をセントラルとするコネクションＣＮ１ｚに送信される。その後、照明装置１０１→コネクションＣＮ１５→・・・→コネクションＣＮｂｃ→照明装置１１２に順次送信される。その後、照明装置１１２をセントラル、照明装置１１３をペリフェラルとするコネクションＣＮｃｄを介して、照明装置１１３に送信される。最後に、照明装置１１３は、受信した制御データＤｃのデバイスＩＤ＝１３から自身に対する制御データＤｃであることを確認し、その制御データＤｃに基づいて光源の光色や明るさ等を制御する。
【００１５】
第２の例として、照明装置１１３からタブレット１２１に照明装置１１３の状態を通知する場合について図２を参照しながら説明する。
この場合、始めに、照明装置１１３が、自身の持つ光源の光色や明るさ等の状態をタブレット１２１に通知するための状態データＤｓ（第２データ）を生成する。状態データＤｓは、少なくとも通知先となるタブレット１２１のデバイスＩＤ＝２１と照明装置１１３の状態を示す値を含む。続いて、照明装置１１３は、第１の例と同様に、ネットワーク内の複数のコネクションを利用して、状態データＤｓをタブレット１２１に送信する。図２の場合、黒塗り矢印で示すように、照明装置１１３で生成された状態データＤｓは、照明装置１１３をペリフェラル、照明装置１１２をセントラルとするコネクションＣＮｃｄに送信される。その後、照明装置１１２→コネクションＣＮ８ｃ→・・・→コネクションＣＮ１２→照明装置１０１に順次送信される。その後、照明装置１０１をセントラル、タブレット１２１をペリフェラルとするコネクションＣＮ１ｚを介して、タブレット１２１に送信される。最後に、タブレット１２１は、受信した状態データＤｓから照明装置１１３の状態を確認し、この情報を画面に表示したり、この情報を用いて照明装置１０１〜１１３の新たな制御データＤｃを生成したりする。
【００１６】
以上のように、本実施形態によれば、照明装置と制御装置が離れた場所に配置されており、互いがブルートゥースの通信範囲外にある場合でも、これらが同じネットワークに属していれば、複数のコネクションを利用することで、照明装置及び制御装置間のデータ通信が可能となる。
【００１７】
更に、本実施形態の場合、必ずしもネットワークをメッシュ型にしなくても良いが、図１に示すようなメッシュ型のネットワークを構築することで、端末装置間のデータ通信に複数の経路を利用することができる。
【００１８】
例えば、図３の白抜き×印で示すように、照明装置１０９及び１１０間のコネクションＣＮ９ａに何らかの障害が発生したとする。この場合であっても、コネクションＣＮ９ａを通らない経路、例えば、タブレット１２１→・・・→照明装置１０５→コネクションＣＮ５６→照明装置１０６→コネクションＣＮ６７→照明装置１０７→コネクションＣＮ７ｂ→照明装置１１１→・・・→照明装置１１３の経路を利用することで、タブレット１２１から照明装置１１３に制御データＤｃを送信することができる。
【００１９】
つまり、図１に示すように、ネットワークをメッシュ型にすることで、端末装置がスター型やライン型のネットワークによって接続されている場合よりも、データ通信の障害耐性を高くできる。
【００２０】
次に、照明システム１００のネットワークの形成過程について図４〜１１を参照しながら説明する。
始めに、図４に示すように、破線ａ１２１で示す照明装置１０１は、セントラルとして動作してスキャニングＳＣ１を開始する。一方、他の端末装置１０２〜１１３、１２１、１５１、及び１５２は、ペリフェラルとして動作して、アドバタイジングを発信する。ここで、アドバタイジングは、少なくとも発信元のグループＩＤを含む。例えば、照明装置１０２のアドバタイジングＡＤ２にはグループＩＤ＝Ａが含まれており、照明装置１５１のアドバタイジングＡＤ１´にはグループＩＤ＝Ｂが含まれる。続いて、照明装置１０１が、スキャニングＳＣ１の範囲内にある照明装置１０２のアドバタイジングＡＤ２を検知すると、図５に示すように、照明装置１０１が、このアドバタイジングＡＤ２からグローバルＩＤ＝Ａの一致を確認し、照明装置１０２をペリフェラルとするコネクションＣＮ１２によって照明装置１０２と接続する。同様に、照明装置１０１のスキャニングＳＣ１の範囲内にある照明装置１０５、タブレット１２１も、これらをペリフェラルとするコネクションＣＮ１５、ＣＮ１ｚによって照明装置１０１と接続される。
【００２１】
続いて、図６に示すように、照明装置１０１と接続された破線ａ１３１で示す照明装置１０２が、セントラルとして動作して、スキャニングＳＣ５を開始する。続いて、照明装置１０２が、スキャニングＳＣ２の範囲内にある照明装置１０３、１０６のアドバタイジングＡＤ３、ＡＤ６を検知すると、照明装置１０２が、これらアドバタイジングＡＤ３、ＡＤ６からグループＩＤ＝Ａの一致を確認し、照明装置１０３、１０６をペリフェラルとするコネクションＣＮ２３、ＣＮ２６によって接続する。同様に、照明装置１０１と接続された破線ａ１３２で示す照明装置１０５のスキャニングＳＣ５の範囲内にあり且つグループＩＤ＝Ａを持つ照明装置１０６、１０９も、これらをペリフェラルとするコネクションＣＮ５６、ＣＮ５９によって接続される。
【００２２】
続いて、図７に示すように、照明装置１０２と接続された破線ａ１４１で示す照明装置１０３が、セントラルとして動作して、スキャニングＳＣ３を開始する。続いて、スキャニングＳＣ３の範囲内にあり且つグループＩＤ＝Ａを持つ照明装置１０４、１０７が、これらをペリフェラルとするコネクションＣＮ３４、ＣＮ３７によって照明装置１０３と接続される。同様に、照明装置１０２及び１０５と接続された破線ａ１４２で示す照明装置１０６のスキャニングＳＣ６の範囲内にあり且つグループＩＤ＝Ａを持つ照明装置１０７、１１０が、これらをペリフェラルとするコネクションＣＮ６７、ＣＮ６ａによって照明装置１０６と接続される。また、照明装置１０５と接続された破線ａ１４３で示す照明装置１０９のスキャニングＳＣ９の範囲内にあり且つグループＩＤ＝Ａを持つ照明装置１１０は、これをペリフェラルとするコネクションＣＮ９ａによって照明装置１０９と接続される。
【００２３】
続いて、図８に示すように、照明装置１０３に接続された破線ａ１５１で示す照明装置１０４が、セントラルとして動作して、スキャニングＳＣ４を開始する。続いて、スキャニングＳＣ４の範囲内にあり且つグループＩＤ＝Ａを持つ照明装置１０８が、これをペリフェラルとするコネクションＣＮ４８によって照明装置１０４と接続される。同様に、照明装置１０３及び１０６に接続された破線ａ１５２で示す照明装置１０７のスキャニングＳＣ７の範囲内にあり且つグループＩＤ＝Ａを持つ照明装置１０８、１１１が、これらをペリフェラルとするコネクションＣＮ７８、ＣＮ７ｂによって照明装置１０７と接続される。また、照明装置１０６及び１０９に接続された破線ａ１５３で示す照明装置１１０のスキャニングＳＣａの範囲内にあり且つグループＩＤ＝Ａを持つ照明装置１１１が、これをペリフェラルとするコネクションＣＮａｂによって照明装置１１０と接続される。
【００２４】
続いて、図９に示すように、照明装置１０４及び１０７に接続された破線ａ１６１で示す照明装置１０８がセントラルとして動作して、スキャニングＳＣ８を開始する。続いて、スキャニングＳＣ８の範囲内にあり且つグループＩＤ＝Ａを持つ照明装置１１２が、これをペリフェラルとするコネクションＣＮ８ｂによって照明装置１０８と接続される。また、照明装置１０７及び１１０に接続された破線ａ１５２で示す照明装置１１１のスキャニングＳＣｂの範囲内にあり且つグループＩＤ＝Ａを持つ照明装置１１２が、これをペリフェラルとするコネクションＣＮｂｃによって照明装置１１１とも接続される。
【００２５】
続いて、図１０に示すように、照明装置１０８及び１１１と接続された破線ａ１７１で示す照明装置１１２がセントラルとして動作して、スキャニングＳＣｃを開始する。続いて、スキャニングＳＣｃの範囲内にあり且つグループＩＤ＝Ａを持つ照明装置１１３が、これをペリフェラルとするコネクションＣＮｃｄによって照明装置１１２と接続される。一方、スキャニングＳＣｃの範囲内にあるが、異なるグループＩＤ＝Ｂを持つ照明装置１５１は、白抜き×印で示すように、照明装置１１２と接続されない。
【００２６】
最後に、図１１に示すように、照明装置１１２と接続された破線ａ１８１で示す照明装置１１３がセントラルとして動作して、スキャニングＳＣｄを開始し、照明装置１５２のアドバタイジングＡＤ２´を検知する。しかし、照明装置１５２は異なるグループＩＤ＝Ｂを持つため、白抜き×印で示すように、照明装置１１３と接続されない。
以上によって、図１に示す照明システム１００のネットワークが形成される。
【００２７】
次に、本実施形態に係る照明システム１００の効果について比較例に係る照明システム１００´を用いて説明する。
図１２は、比較例に係る照明システムの概要を示す図である。
この照明システム１００´も、照明システム１００と同様に、照明装置１０１〜１１３と、これら照明装置１０１〜１１３を操作するタブレット１２１を備える。但し、照明システム１００´の場合、照明システム１００と異なり、照明装置１０１及びタブレット１２１は、タブレット１２１をセントラル、照明装置１０１をペリフェラルとするコネクションＣＮｚ１で接続される。また、照明装置１０１〜１１３間には、ブルートゥースによるコネクションが確立されておらず、これらの照明装置１０１〜１１３間の通信はアドバタイジングを利用して実現されている。
【００２８】
例えば、タブレット１２１から照明装置１１３を制御する場合、始めに、タブレット１２１が制御対象及び制御内容を含む制御データＤｃを生成し出力する。続いて、制御データＤｃを受信した照明装置１０１は、制御データＣＤを含むアドバタイジングＡＤ１を発信する。続いて、スキャニングＳＣ５によってアドバタイジングＡＤ１を検知した照明装置１０５は、制御データＣＤを含むアドバタイジングＡＤ５を発信する。以降、白抜き矢印で示すように、照明装置１０９による照明装置１０５のアドバタイジングＡＤ５のスキャニングＳＣ９、照明装置１１０による照明装置１０９のアドバタイジングＡＤ９のスキャニングＳＣａ、といったように、各照明装置のアドバタイジングとスキャニングによって、制御データＤｃを照明装置１１３まで伝播させて行く。これによって、照明システム１００´でも、照明システム１００と同様に、タブレット１２１による照明装置１１３の遠隔操作が可能になる。
【００２９】
しかし、照明システム１００´の場合、次のような問題が生じる。
ブルートゥースによる無線通信では、２．４ＧＨｚ帯が用いられるが、この周波数帯域は、ブルートゥースの他、Ｗｉ−ＦｉやＺｉｇｂｅｅ（登録商標）でも採用され、一般的な電子機器で多く利用されている。そこで、ブルートゥースには、他の電子機器との干渉を避けるため、周波数帯域を所定の周波数幅毎に分割し、これらを切り替えて利用するホッピング機能を持つ。
【００３０】
具体的には、ブルートゥースには、図１３に示すように、２ＭＨｚ毎に、０〜３９の４０個のチャネルが用意されている。但し、このうちアドバタイジングに用いることができるのは、網掛けで示した３７（中心周波数２４０２ＭＨｚ）、３８（中心周波数２４２６ＭＨｚ）、及び３９（中心周波数２４８０ＭＨｚ）の３つのチャネルだけである。つまり、照明システム１００´の場合、ホッピング機能によるチャネルの選択の余地が小さく、その分だけ他の電子機器等の干渉を受けやすくなる点が問題となる。
【００３１】
その点、照明システム１００では、一旦、コネクションを確立してから端末装置間のデータ通信を行う。そして、このコネクションには、３７〜３９を除く、３７個のチャネルを用いることができる。つまり、照明システム１００の方が、照明システム１００´よりも、他の電子機器等の干渉の影響を受け難いシステムと言える。
【００３２】
更に、双方向通信であるコネクションの利用は、一方的なアドバタイジングによるデータの伝播を利用する場合と比べ、低消費電力であるばかりでなく、より大きなデータを取りこぼしなく通信することができる。
【００３３】
以上、本実施形態によれば、ブルートゥースを利用して照明装置を遠隔操作する照明システムにおいて、比較例よりも、周辺にある他の電子機器の干渉に影響を低減させた信頼性の高い照明システムを提供することができる。
【００３４】
［第２の実施形態］
第２の実施形態では、照明装置及び制御装置以外の端末装置を備える照明システムについて説明する。
図１４〜１６は、本実施形態に係る照明システムの概要を示す図である。
図１４に示す照明システム２００は、照明システム１００のうち、照明装置１０２を中継装置２０２に替えて構成されている。この中継装置２０２は、照明装置のように光源を持たず、データ通信の中継だけを行うものであり、所定のコネクションから受信したデータを他のコネクションに転送するものである。この中継装置２０２は、照明装置１０２等と同様に、セントラルとペリフェラルの両方の動作を切り替えることができる。この中継装置２０２は、例えば、照明としての機能は必要ないが、端末装置間に壁などの障害物がありこれを迂回する経路を確保したい場合や、冗長性確保のために端末装置間の経路数を増やしたい場合等に有効である。
【００３５】
図１５に示す照明システム３００は、照明システム１００に対して、更に所定範囲の人の有無を感知する人感センサ装置３１４を備えて構成されている。人感センサ装置３１４は、例えば、コネクションＣＮ８ｅ、ＣＮｅｄによって照明装置１０８、１１３と接続される。
【００３６】
この照明システム３００を用いれば、例えば、所定のエリアに対する人の侵入時に照明装置の光源がオンする防犯システムの構築が可能である。つまり、人感センサ装置３１４が人の侵入を感知し、送信先であるタブレット１２１のデバイスＩＤ＝２１と感知結果を含む人感データＤｍ（第３データ）を生成し出力する。そして、人感センサ装置３１４から出力された人感データＤｍは、黒塗り矢印で示すように、コネクションＣＮ８ｅ、ＣＮ４８、・・・、ＣＮ１２、及びＣＮ１ｚを介して、タブレット１２１に送信される。その後、人感データＤｍを受信したタブレット１２１は、制御対象である照明装置１１３（第３照明装置）のデバイスＩＤ＝１３と光源をオンする旨の制御内容を含む制御データＤｃを生成し出力する。そして、タブレット１２１から出力された制御データＤｃは、コネクションＣＮ１ｚ、ＣＮ１５、・・・、ＣＮｂｃ、及びＣＮｃｄを介して、照明装置１１３に送信される。最後に、照明装置１１３が、受信した制御データＤｃの制御内容に基づいて光源をオンする。
【００３７】
この例の他にも人感データＤｍの内容に基づいて、照明装置の光源をオフしたり、光源の光色や明るさを調整したりすることもできる。例えば、所定のエリアから人が退出した場合に照明装置の光源がオフするような省エネルギシステムの構築も可能である。
【００３８】
なお、図示しないが、人感センサ装置３１４の変形例として、照明装置を制御できる制御機能付き人感センサ装置が挙げられる。この制御機能付き人感センサ装置を利用すれば、人感センサ装置３１４と異なり、感知データＤｍを制御装置に送信しなくても、感知結果を用いた、この装置自身によるネットワーク上の照明装置の制御が可能になる。また、他の変形例として、照明装置に人感センサを付加させた人感センサ付き照明装置も挙げられる。この人感センサ付き照明装置を利用すれば、ネットワークを介することなく、人感センサの感知結果を用いて、この装置自身による光源の直接制御が可能になる。いずれの例でも、感知結果に基づいて人感データＤｍを生成し出力できるようにすれば、人感センサ装置３１４を利用した場合と同じ効果も得ることができる。
【００３９】
図１６に示す照明システム４００は、照明システム１００に対して、更に所定範囲の照度を検知する照度センサ装置４１５を備えて構成されている。照度センサ装置４１５は、例えば、コネクションＣＮ９ｆによって照明装置１０９と接続されている。
【００４０】
この照明システム４００を用いれば、例えば、周辺の明るさに応じて、照明装置の光源の明るさを調整する省エネルギシステムの構築が可能である。つまり、照度センサ装置４１５が所定範囲の照度を検知し、送信先であるタブレット１２１のデバイスＩＤ＝２１と検知結果を含む照度データＤｉ（第４データ）を生成し出力する。そして、照度センサ装置４１５から出力された照度データＤｉは、黒塗り矢印で示すように、コネクションＣＮ９ｆ、ＣＮ５９、ＣＮ１４、及びＣＮ１ｚを介して、タブレット１２１に送信される。その後、照度データＤｉを受信したタブレット１２１は、照度に応じた明るさを算定し、制御対象である照明装置１０９（第４照明装置）のデバイスＩＤ＝９と、算定結果に基づいて光源の明るさを調整する旨の制御内容と、を含む制御データＤｃを生成し出力する。そして、タブレット１２１から出力された制御データＤｃは、コネクションＣＮ１ｚ、ＣＮ１５、及びＣＮ５９を介して、照明装置１０９に送信される。最後に、照明装置１０９が、受信した制御データＤｃの制御内容に基づいて光源の明るさを調整する。
【００４１】
なお、図示しないが、照明システム４００は、照度センサ装置４１５を複数備えても良い。この場合、これら照度センサ装置４１５の照度データＤｉをタブレット１２１等の制御装置に集約させる。そして、制御装置が、それらを用いた平均値等を算出し、その結果に基づいて照明装置を制御することも可能である。
【００４２】
また、図示しないが、照度センサ装置４１５の変形例として、照明装置を制御できる制御機能付き照度センサ装置が挙げられる。この制御機能付き照度センサ装置を利用すれば、照度センサ装置４１５と異なり、照度データＤｉを制御装置に送信しなくても、検知結果を用いた、この装置自身によるネットワーク上の照明装置の制御が可能になる。また、他の変形例として、照明装置に照度センサを付加させた照度センサ付き照明装置も挙げられる。この照度センサ付き照明装置を利用すれば、ネットワークを介することなく、照度センサの検知結果を用いた、この装置自身による光源の直接制御が可能になる。いずれの例でも、検知結果に基づいて照度データＤｉを生成し出力できるようにすれば、照度センサ装置４１５を利用した場合と同じ効果も得ることができる。
【００４３】
以上、本実施形態によれば、第１の実施形態と同様の効果を得られるばかりでなく、照明装置、制御装置と、中継装置、人感センサ装置、照度センサ装置等の各種装置を組み合せることで、バリエーションに富んだ照明システムの構築が可能となる。
【００４４】
［第３の実施形態］
第３の実施形態では、複数の制御装置を備える照明システムについて説明する。
先ず、第３の実施形態に係る照明システム５００の概要について図１７を参照しながら説明する。
この照明システム５００は、照明システム１００に対して、更に制御装置であるタブレット５２２〜５２４及びコントローラ５２５を備えて構成されている。ここで、コントローラ５２５は、タブレットやスマートフォンのような汎用機器ではなく、照明システムの制御に特化した専用機器である。コントローラ５２５の詳細については、第４の実施形態で詳述する。
【００４５】
照明システム５００のように、制御装置を複数の制御装置を用意すれば、例えば、異なる場所や複数のユーザからの照明装置の制御が可能となり便利である。例えば、照明装置１０３を制御するにも、白抜き矢印で示すように、タブレット１２１で生成された照明装置１０３を制御する制御データＤｃ１を照明装置１０３に送信しても良いし、黒塗り矢印で示すように、タブレット１２１から離れた場所にあるタブレット５２４（第２制御装置）で生成された照明装置１０３を制御する制御データＤｃ２（第５データ）を照明装置１０３に送信しても良い。
【００４６】
次に、ネットワークにおける制御装置５２２〜５２４の接続関係について説明する。
制御装置５２２〜５２４のうちタブレット５２２、５２３は、これらをペリフェラルとするコネクションＣＮ１ｙ、ＣＮ１ｘによって照明装置１０１と接続される。タブレット５２４は、これをペリフェラルとするコネクションＣＮ１ｗによって照明装置１０４と接続される。コントローラ５２５は、これをペリフェラルとするコネクションＣＮ１ｖで接続される。なお、本実施形態では、第１の実施形態でも説明したように、制御装置がペリフェラルとしてのみ動作する。そのため、白抜き×印で示すように、制御装置間、例えば、タブレット１２１及び５２２間やタブレット５２２及び５２３間は、コネクションによって接続されていない。
【００４７】
通常、ブルートゥースを利用したシステムでは、制御元の装置がセントラルとして動作し、制御先の装置がペリフェラルとして動作する。比較例に係る照明システム１００´も、図１２に示すように、制御装置であるタブレット１２１がセントラルとして動作し、照明器具１０１がペリフェラルとして動作していた。しかし、この場合、原則として、１つの照明装置（セントラル）に対して複数の制御装置（ペリフェラル）を接続できない。そのため、照明システム内で複数の制御装置を使用したい場合、それぞれ別の照明装置に接続する必要がある。つまり、照明システム１００´の場合、照明装置の台数以上に制御装置を増設することはできない。また、同じ照明装置に１つの制御装置しか接続できないため、制御装置の配置場所にも制約が生じる。
【００４８】
その点、照明システム５００の場合、前述の通り、制御装置がペリフェラルとして動作する。そのため、照明装置１０１とタブレット１２１、５２２、及び５２３のように、複数の制御装置を１つの照明装置に接続させることができる。
【００４９】
なお、図１７の場合、制御装置１２１、５２２〜５２４、及び５２５の全てが、照明装置に接続されているが、第２の実施形態で説明した中継装置、人感センサ装置、及び照度センサ装置とも接続できる。
【００５０】
以上、本実施形態によれば、照明システムに複数の制御装置を用意すれば、異なる場所や複数のユーザからの照明装置の制御が可能となるため、ユーザの利便性を向上させることができる。また、照明装置の台数に関わらず制御装置を増設できるばかりでなく、１つの照明装置に対して複数の制御装置を接続できるため、比較例の場合よりも、制御装置の配置場所の自由度が高い照明システムを提供することができる。
【００５１】
［第４の実施形態］
第４の実施形態では、第３の実施形態で説明したコントローラ５２５について説明する。なお、ここでは、第３の実施形態の５２５としてコントローラの一例を説明するが、ここで説明するコントローラは、他の実施形態においても制御装置として利用することができる。
コントローラ５２５は、前述の通り、タブレットやスマートフォンのような汎用機器ではなく、照明システムの制御に特化した専用機器である。コントローラ５２５は、図１７に示すタブレット１２１と同様、ブルートゥースに準拠した通信機能を持ち、コントローラ５２５をペリフェラルとするコネクションを利用して照明装置を制御する。ブルートゥースは無指向性であるため、指向性のある赤外線を利用した従来のコントローラと異なり、コントローラの向きに注意する必要がない。
【００５２】
また、コントローラ５２５は、タブレット１２１と異なり、電池等からの電源の供給があると、ユーザによるボタン操作によって照明装置を制御できる状態になっている。この点において、一旦、アプリケーションを立ち上げる必要があるタブレットやスマートフォン等の汎用機器と異なり、機器起動時の煩わしさが低減される。
【００５３】
図１８は、本実施形態に係る照明システムのコントローラの一例である。
このコントローラ５２５は、予め６つのチャネルそれぞれに異なる照明装置、例えば図１７に示す照明装置１０１〜１０６、を割り当てておき、選択されているチャネルに対応した照明装置を制御するものである。
コントローラ５２５は、照明装置の光源の光色、明るさといった制御値等を表示する液晶画面６０１の他、以下に示す各種ボタン６１１〜６２５を有する。
ボタン６１１：選択された照明装置の光源の光色を温白色に切り替える。
ボタン６１２：選択された照明装置の光源の光色を昼光色に切り替える。
ボタン６１３：選択された照明装置の光源の光色を昼白色に切り替える。
ボタン６１４：選択された照明装置の光源の光色及び明るさを調節する。
ボタン６１５：選択された照明装置の常夜灯をオン／オフする。
ボタン６１６：選択された照明装置をオン／オフする。
ボタン６１７：選択された照明装置の光源が通常光色（例えば２７００Ｋ〜６５００Ｋ）で点灯している場合、光源の光色を暖色系／寒色系で切り替える。その他の場合、光源の光色を通常光色に切り替える。
ボタン６１８：選択された照明装置の光源を赤色に切り替える。
ボタン６１９：選択された照明装置の光源を緑色に切り替える。
ボタン６２０：選択された照明装置の光源を青色に切り替える。
ボタン６２１：１回目のボタン操作で、選択された照明装置の光源の光色を連続的な変化させ、２回目のボタン操作で、変化している光源の光色を確定する。
ボタン６２２：シーンとして予め記憶させた調光、調色のパターンで、登録されている照明装置の光源を制御する。
ボタン６２３：チャネルに対応する照明装置をオン／オフする。
ボタン６２４：押す毎に選択するチャネルを切り替える。
ボタン６２５：全てのチャネルを選択する。
更に、コントローラ５２５は、上記ボタン６１１〜６２５の他、上記以外の機能を割り当てるためのボタン６２６を有しても良い。
【００５４】
以上、本実施形態によれば、図１８のような照明装置に特化させた専用のコントローラを用意することで、タブレット等の汎用機器に不慣れなユーザであっても、上記実施形態に係る照明システムを容易に導入し利用することが可能になる。
【００５５】
［第５の実施形態］
第５の実施形態では、ビーコン装置を用いた照明システムについて説明する。
図１９は、第５の実施形態に係る照明システムの概要を示す図である。
この照明システム７００は、照明システム１００に対して、端末装置であるビーコン装置７４１を備えて構成される。このビーコン装置７４１は、少なくともアドバタイジングの機能を持つ。また、照明システム７００の場合、照明装置１０１〜１１３は、ビーコン装置７４１が発信するアドバタイジングＡＤｂｃを検知すると、自身の持つ光源を制御する機能や、アドバタイジングＡＤｂｃをビーコンデータＤｂとしてタブレット１２１に送信する機能を持つ。
【００５６】
この照明システム７００を用いれば、例えば、人の在／不在に合わせて照明装置の光源をオン／オフする省エネルギシステムを構築することができる。この照明システム７００では、照明装置の制御方式として、例えば、照明装置が、ビーコン装置のアドバタイジングを検知して、それに基づいて自身の持つ光源を直接制御する方式（以下、「直接制御方式」と称する）と、照明装置が、検知したアドバタイジングをビーコンデータとして一旦制御装置に送信し、これに基づいて制御装置が照明装置を制御する方式（以下、「間接制御方式」と称する）の２つがある。
【００５７】
直接制御方式の場合、例えば、ビーコン装置７４１を携行する人が照明装置１０３の近傍に居ると、照明装置１０３は、ビーコン装置７４１のアドバタイジングＡＤｂｃを検知し、自身の持つ光源をオンさせる。逆に、人が遠くに居てアドバタイジングＡＤｂｃが検知できない場合には光源をオフさせる。このように、直接制御方式は、制御装置を介さずに直接光源を制御するため、照明装置の反応が速いという利点がある。そのため、例えば、図１９の斜線が施された矢印に示すように人が歩行した場合に、この歩行に合わせて照明装置１０１、１０２、１０３、及び１０４の光源を順次オンしていくというような、ある程度照明装置の高い反応速度が要求されるシステムには、有効な制御方式と言える。なお、上記の例では、ビーコン装置のアドバタイジングに基づいて光源をオン／オフ制御したが、その他にも光源の光色や明るさを制御することもできる。この場合、予め制御装置から照明装置に対して制御内容を設定できるようにすれば良い。
【００５８】
一方、間接制御方式の場合、例えば、図１９に示すように、照明装置１０２、１０３が、それぞれアドバタイジングＡＤｂｃをスキャニングＳＣ２、ＳＣ３によって検知したとする。この場合、照明装置１０２、１０３は、黒塗り矢印及び灰色矢印で示すように、それぞれのアドバタイジングＡＤｂｃをビーコンデータＤｂ１、Ｄｂ２としてタブレット１２１に送信する。すると、これらを受信したタブレット１２１は、ビーコンデータＤｂ１、Ｄｂ２から照明装置１０２、１０３それぞれが検知したアドバタイジングＡＤｂｃの電波強度を取り出す。そして、それぞれの値を比較し、ビーコン装置７４１（人）が照明装置１０２及び１０３のいずれに近いかを判定する。そして、タブレット１２１は、白抜き矢印に示すように、より近い照明装置１０３に対して、光源をオンする旨の制御データＤｃを送信する。最後に、これを受信した照明装置１０３は、自身の持つ光源をオンする。このように、間接制御方式は、制御装置を介して照明装置を制御するために反応速度の面で直接制御方式に劣るが、その制御が複数のビーコンデータに基づいてなされるため、直接制御方式よりも、照明装置の緻密な制御が可能である。なお、上記間接制御方式の場合、制御装置は、複数の照明装置によって検知されたアドバタイジングＡＤｂｃの信号強度の違いから、人（ビーコン装置）の位置を捕捉することもできる。この場合、この位置情報を用いた多様な照明装置の制御を実現することができる。また、上記の例では、ビーコンデータに基づいて光源をオン／オフ制御したが、その他にも光源の光色や明るさを制御することもできる。
【００５９】
以上、本実施形態によれば、ビーコン装置を導入し、ビーコン装置を人に携行させることで、人の在／不在の状況や位置の把握が可能になるため、人の行動に合わせた省エネルギの照明システムを提供することができる。
【００６０】
［その他］
以上では、発明の実施形態の一例を説明したが、本発明はこれらに限定されるものではなく、発明の趣旨を逸脱しない範囲内において、種々の変更、追加等が可能である。
【符号の説明】
【００６１】
１００、２００、３００、４００、５００、７００・・・照明システム、１０１〜１０４、１５２・・・ペンダントライト（照明装置）、１０５〜１０８、１５１・・・ダウンライト（照明装置）、１０９〜１１２・・・シーリングライト（照明装置）、１１３・・・ブラケットライト（照明装置）、１２１、５２２、５２３、５２５・・・タブレット（制御装置）、２０２・・・中継装置、３１４・・・人感センサ装置、４１５・・・照度センサ装置、５２５・・・コントローラ（制御装置）、６０１・・・液晶画面、６１１〜６２６・・・ボタン、７４１・・・ビーコン装置。
【図１】
2017212118.tif 000003
【図２】
2017212118.tif 000004
【図３】
2017212118.tif 000005
【図４】
2017212118.tif 000006
【図５】
2017212118.tif 000007
【図６】
2017212118.tif 000008
【図７】
2017212118.tif 000009
【図８】
2017212118.tif 000010
【図９】
2017212118.tif 000011
【図１０】
2017212118.tif 000012
【図１１】
2017212118.tif 000013
【図１２】
2017212118.tif 000014
【図１３】
2017212118.tif 000015
【図１４】
2017212118.tif 000016
【図１５】
2017212118.tif 000017
【図１６】
2017212118.tif 000018
【図１７】
2017212118.tif 000019
【図１８】
2017212118.tif 000020
【図１９】
2017212118.tif 000021
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
１つが光源を持つ第１照明装置であり、１つが前記第１照明装置を制御する第１データを生成する第１制御装置である、複数の端末装置を有する端末装置群を備え、
前記端末装置群は、各端末装置をノードとし、隣接する端末装置同士が、ブルートゥース（登録商標）のコネクションによって接続されたネットワークを構成し、
前記第１制御装置は、少なくとも前記第１制御装置をペリフェラルとするコネクションと前記第１照明装置をセントラル又はペリフェラルとする他のコネクションを介して、前記第１照明装置に対して前記第１データを送信する
ことを特徴とする照明システム。
【請求項２】
前記端末装置群は、各端末装置をノードとし、隣接する端末装置同士が、ブルートゥースのコネクションによって接続されたメッシュ型のネットワークを構成する
ことを特徴とする請求項１記載の照明システム。
【請求項３】
前記第１照明装置は、前記第１照明装置の光源に関する第２データを生成し、
前記第１照明装置は、少なくとも前記第１照明装置をセントラル又はペリフェラルとするコネクションと前記第１制御装置をペリフェラルとする他のコネクションを介して、前記第１制御装置に対して前記第２データを送信する
ことを特徴とする請求項１又は２記載の照明システム。
【請求項４】
前記端末装置の１つは、所定のコネクションから受信したデータを他のコネクションに転送する中継装置であり、
前記第１制御装置と前記第１照明装置は、前記中継装置を介してデータを送受信する
ことを特徴とする請求項１〜３のいずれか１項記載の照明システム。
【請求項５】
前記中継装置は、光源を持つ第２照明装置である
ことを特徴とする請求項４記載の照明システム。
【請求項６】
前記中継装置は、セントラルとペリフェラルとを切り替え可能に構成される
ことを特徴とする請求項４又は５記載の照明システム。
【請求項７】
前記端末装置の１つは、所定範囲の人の有無を感知し、その感知結果に基づいて第３データを生成する人感センサ装置である
ことを特徴とする請求項１〜６のいずれか１項記載の照明システム。
【請求項８】
前記第１制御装置は、前記人感センサ装置で生成された前記第３データに基づいて前記第１データを生成する
ことを特徴とする請求項７記載の照明システム。
【請求項９】
前記人感センサ装置は、光源を持つ第３照明装置であり、前記感知結果に基づいて前記第３照明装置の光源を制御する
ことを特徴とする請求項７又は８記載の照明システム。
【請求項１０】
前記端末装置の１つは、所定範囲の照度を検知し、その検知結果に基づいて第４データを生成する照度センサ装置である
ことを特徴とする請求項１〜９のいずれか１項記載の照明システム。
【請求項１１】
前記第１制御装置は、前記照度センサ装置で生成された前記第４データに基づいて前記第１データを生成する
ことを特徴とする請求項１０記載の照明システム。
【請求項１２】
前記照度センサ装置は、光源を持つ第４照明装置であり、前記検知結果に基づいて、前記第４照明装置の光源を制御する
ことを特徴とする請求項１０又は１１のいずれか１項記載の照明システム。
【請求項１３】
前記端末装置の１つは、前記第１照明装置を制御する第５データを生成する第２制御装置である
ことを特徴とする請求項１〜１２のいずれか１項記載の照明システム。
【請求項１４】
前記第１制御装置は、前記第１制御装置をペリフェラルとし、所定の端末装置をセントラルとするコネクションで接続され、
前記第２制御装置は、前記第２制御装置をペリフェラルとし、前記所定の端末装置をセントラルとするコネクションで接続される
ことを特徴とする請求項１３記載の照明システム。
【請求項１５】
前記複数の端末装置は、それぞれ第１識別値を持ち、
前記ネットワークは、同一の前記第１識別値を持つ端末装置によって構成される
ことを特徴とする請求項１〜１４のいずれか１項記載の照明システム。
【請求項１６】
前記第１制御装置は、電源が供給されると前記第１照明装置を制御可能な状態に遷移するコントローラである
ことを特徴とする請求項１〜１５のいずれか１項記載の照明システム。